(57)【要約】      （修正有）【課題】目的のポイント付近に達するまで餌籠内の餌が流出されずに保持され、撒き餌の籠内への挿入も衛生的で手早く行える撒き餌籠を提供する。【解決手段】一端に道糸結束用フック１２を有し、他端即ち先端側に蓋体４を有する細長ボルト即ち蓋支持ボルト１において、蓋体中心部から蓋支持ボルトに緩く巻きつき昇る様に蓋支持ボルトの途中までコイルバネが設置されて上端が鉄線リング１３に固定され、鉄線リングから左右に対称的に分かれ伸びる鉄線３が蓋開閉調整用のコイル押しバネ２を挟んでそれに平行に蓋体へ伸び行き貫通したところで折れ曲がって係着フック部を成し、この係着フック部を網籠本体５の開口部縁際に設けられた小孔即ち本体支持鉄線係着孔１０に掛け留めて一体的に構成されることを特徴とする。【選択図】図５
0003206224.tif 000002
【実用新案登録請求の範囲】
【請求項１】
大きくは、蓋の無い円筒状の網籠本体と、網籠本体に鉄線本体を介して装・脱着式に取り付けされる撒き餌挿入・放出装置から成るのであるが、網籠本体において、円筒状の一端側が全面開口されて網籠開口部を成し、他端側が閉じられた底であり、底一帯が錘として形成されて低錘部を成し、低錘部の外側中心部に多用途フックが設けてあり、網籠開口部の縁円周際に２箇所・円周中心点を挟む対向的な位置に、小孔即ち本体支持鉄線係着孔を設けてあって、撒き餌挿入・放出装置は、細長く丈夫な軸体即ち蓋支持ボルトの一端にフック部即ち道糸結束用フックを設け、他端側・末端の少し手前位置にその中心部を直交的に貫いて開閉蓋を設けてあり、開閉蓋は、蓋支持ボルトをネジ軸とする二つのナット・即ち蓋支持ボルト末端部側から締める蓋固定ナット及び反対側から締める押しバネ調整ナットによって、両側からしっかり締め付け固定されており、蓋支持ボルト末端部は蓋固定ナットから短く突き出たままになっており、開閉蓋の縁円周際には２箇所・蓋支持ボルトを挟む対向的な位置に、小孔即ち開閉蓋上下可動孔が設けてあり、網籠開口部に開閉蓋が装着される時、開閉蓋上下可動孔は本体支持鉄線係着孔の真上に来ることになるのであるが、蓋支持ボルトに於いて、道糸結束用フックから開閉蓋までの中間の適宜の位置から押しバネ調整ナットまでの領域に、蓋支持ボルトの周囲を取り巻く様にコイル状バネ即ち蓋開閉調整押しバネを設けてあり、蓋開閉調整押しバネは、押しバネ調整ナットに一端を接しつつ、他端を、蓋支持ボルトを緩く周回する鉄線リング即ち支持鉄線可動リング部に固定されており、支持鉄線可動リングを成す鉄線は、そこから左右方向に分かれて蓋支持ボルトを挟んで対抗的に・共に蓋支持ボルトに平行的に・開閉蓋方向へ伸びて開閉蓋上下可動孔を通り抜けて、末端が折れて掛けフック状に形成されて係着フック部を成しており、この係着フック部が網籠本体の本体支持鉄線係着孔に掛け留められることによって、撒き餌挿入・放出装置と網籠本体とが一つの全体として構成されることを特徴とする撒き餌挿入・放出装置を備えた簡便撒き餌籠。
【請求項２】
開閉蓋において、開放状態を固定しておきたい場合のために、開閉蓋開放固定ロック手段を備える事を特徴とする請求項１に記載の撒き餌挿入・放出装置を備えた簡便撒き餌籠。
【考案の詳細な説明】
【技術分野】
【０００１】  本考案は、撒き餌が集魚ポイントまで流失することなく確実に保持される撒き餌籠に関するものである。
【背景技術】
【０００２】  従来の撒き餌籠は蓋がなくポイントに到着するまでに、籠内の撒き餌がポイント以外にて流失し、集魚効果が低く、又撒き餌の無駄を招く結果となっていた。
さらに撒き餌の籠への挿入方法が清潔感と簡便性に欠けており煩わしさがあった。
【考案の概要】
【考案の解決しようとする課題】
【０００３】  これは次のような欠点があった。
従来の蓋のない撒き餌籠の場合、目的のポイント付近に達した頃には既に籠内の餌は水流と共に流失し空になっていることが多々あった。
従来、撒き餌の撒き餌籠への挿入に際して、手が汚れる等そのたびに手洗いし、タオルで拭き釣り具を持つ、この繰り返し動作が簡便さ・清潔感・俊敏性に欠け、煩わしさがあった。
本考案は、以上のような問題点をなくするためになされたものである。
【課題を解決するための手段】
【０００４】  大きくは、蓋の無い円筒状の網籠本体と、網籠本体に鉄線体を介して装・脱着式に取付けされる撒き餌挿入・放出装置から成る。
網籠本体において、円筒状の一端側が全面開口されて網籠開口部を成し、他端側が閉じられた底であるが、底一帯が錘として形成されて低錘部を成し、低錘部の外側中心部に多用途フックが設けてあり、網籠開口部の縁円周際に２箇所・円周中心点を挟む対向的な位置に、小孔即ち本体支持鉄線係着孔を設けてある。
撒き餌挿入・放出装置は、細長く丈夫な軸体即ち蓋支持ボルトの一端にフック部即ち道糸結束用フックを設け、他端側・末端の少し手前位置に、その中心部を直交的に貫いて開閉蓋を設けてあり、開閉蓋は、蓋支持ボルトをネジ軸とする二つのナット・即ち蓋支持ボルト末端部側から締める蓋固定ナット及び反対側から締める押しバネ調整ナットによって、両側からしっかり締め付け固定されており、蓋支持ボルト末端部は蓋固定ナットから短く突き出たままになっている。開閉蓋の縁円周際には２箇所・蓋支持ボルトを挟む対向的な位置に、小孔即ち開閉蓋上下化動孔が設けてあり、網籠開口部に開閉蓋が装着される時、開閉蓋上下可動孔は本体支持鉄線係着孔の真上にくることになる。蓋支持ボルトに於いて、道糸結束用フックから開閉蓋までの中間の適宣の位置から押しバネ調整ナットまでの領域に、蓋支持ボルトの周囲を取り巻く様にコイル状バネ即ち蓋開閉調整押しバネを設けてあり、蓋開閉調整押しバネは、押しバネ調整ナットに一端を接しつつ、他端を蓋支持ボルトを緩く周回する鉄線リング即ち支持鉄線可動リング部に固定されており、支持鉄線可動リングを成す鉄線は、そこから左右方向に分かれて蓋支持ボルトを挟んで対向的に・共に蓋支持ボルトに平行的に・開閉蓋方向へ伸びて開閉蓋上下可動孔を通り抜けて、端末が折れて掛けフック状に形成されて係着フック部を成す。この係着フック部が網籠本体の本体支持鉄線係着孔に掛け留められることによって、撒き餌挿入・放出装置と網籠本体とが一つの全体として構成される。
以上を特徴とする撒き餌挿入・放出装置を備えた簡便撒き餌籠である。
【考案の効果】
【０００５】（イ）撒き餌挿入・放出装置の考案により撒き餌籠への挿入が簡便に更に清潔感を保ちながら、快適に釣行出来る装置である。
バケツに冷凍撒き餌（俗にレンガと称す）を溶かし市販の撒き餌用柄杓にて汲み上げ撒き餌籠に流し込み挿入する撒き餌挿入と放出装置とが一体となった装置である。
挿入方法が清潔感を保ちながら簡便で俊敏性を持ち、時合を逃すことなく簡便な釣行により釣果アップである。
（ロ）網籠本体に撒き餌放出開閉蓋を設け目標ポイントめがけて沈降、ポイントに達した時、撒き餌籠より適量の撒き餌放出が可能、この集魚効果により釣果もアップ、撒き餌の量も節減、仕掛け投入回数も減少、快適な釣行を過ごす事を目的とした簡便撒き餌籠と撒き餌挿入装置である。
（ハ）網籠本体と撒き餌挿入装置が簡単に分離可能で、微調整、修理、取り換え交換と簡単便利である。
（ニ）市販中の網籠に対応できる為、網籠本体を除く撒き餌放出挿入装置のみの製造も可能である。
（ホ）網籠の底部に多用途フックを設ける事により、ナス錘等を使用し重量調整により押しバネの伸縮強度微調整による網籠蓋開閉の強弱調整に、又、他の仕掛けの考案に役立てる。
【図面の簡単な説明】
【０００６】
【図１】  本考案の正面図
【図２】  本考案の側面図
【図３】  本考案の断面図
【図４】  本考案の使用に於いて、開閉蓋を開けた状態を示す斜視図
【図５】  本考案の使用に於いて、開閉蓋を閉じた状態を示す斜視図
【図６】  本考案の平面図
【図７】  本考案に於いて、網籠への撒き餌挿入時の状態を表す斜視図
【図８】  図７に示された本考案の側面図
【図９】  本考案に於いて、開閉蓋開放固定ロック手段を備えた実施形態を示す正面図
【図１０】  本考案に於いて、開閉蓋を開閉固定ロックした状態を示す斜視図
【考案を実施するための形態】
【０００７】以下、本考案を実施するための形態について説明する。
大きくは、蓋の無い円筒状の網籠本体（５）と、網籠本体（５）に鉄線体を介して装・脱着式に取付けされる撒き餌挿入・放出装置（１６）から成る。
網籠本体（５）において、円筒状の一端側が全面開口されて網籠開口部（８）を成し、他端側が閉じられた底であるが、底一帯が錘として形成されて低錘部（１１）を成し、低錘部（１１）の外側中心部に多用途フック（９）が設けてあり、網籠開口部（８）の縁円周際に２箇所・円周中心点を挟む対向的な位置に、小孔即ち本体支持鉄線係着孔（１０）を設けてある。
撒き餌挿入・放出装置（１６）は、細長く丈夫な軸体即ち蓋支持ボルト（１）の一端にフック部即ち道糸結束用フック（１２）を設け、他端側・末端の少し手前位置に、その中心部を直交的に貫いて開閉蓋（４）を設けてあり、開閉蓋（４）は、蓋支持ボルト（１）をネジ軸とする二つのナット・即ち蓋支持ボルト末端部（７）側から締める蓋固定ナット（１５）及び反対側から締める押しバネ調整ナット（１４）によって、両側からしっかり締め付け固定されており、蓋支持ボルト末端部（７）は蓋固定ナット（１５）から短く突き出たままになっている。開閉蓋（４）の縁円周際には２箇所・蓋支持ボルト（１）を挟む対向的な位置に、小孔即ち開閉蓋上下化動孔（６）が設けてあり、網籠開口部（８）に開閉蓋（４）が装着される時、開閉蓋上下可動孔（６）は本体支持鉄線係着孔（１０）の真上にくることになる。蓋支持ボルト（１）に於いて、道糸結束用フック（１２）から開閉蓋（４）までの中間の適宣の位置から押しバネ調整ナット（１４）までの領域に、蓋支持ボルト（１）の周囲を取り巻く様にコイル状バネ即ち蓋開閉調整押しバネ（２）を設けてあり、蓋開閉調整押しバネ（２）は、押しバネ調整ナット（１４）に一端を接しつつ、他端を、蓋支持ボルト（１）を緩く周回する鉄線リング即ち支持鉄線可動リング部に固定されており、支持鉄線可動リング（１３）を成す鉄線は、そこから左右方向に分かれて蓋支持ボルト（１）を挟んで対向的に・共に蓋支持ボルト（１）に平行的に・開閉蓋（４）方向へ伸びて開閉蓋上下可動孔（６）を通り抜けて、端末が折れて掛けフック状に形成されて係着フック部（１８）を成す。この係着フック部（１８）が網籠本体（５）の本体支持鉄線係着孔（１０）に掛け留められることによって、撒き餌挿入・放出装置（１６）と網籠本体（５）とが一つの全体として構成される。
なお、開平蓋においては、開放状態を固定しておきたい場合のためには、開閉蓋開放固定ロック手段（１９）を備えておくとよい。
以上を特徴とする撒き餌挿入・放出装置（１６）を備えた簡便撒き餌籠である。
本考案は以上のような構造であり、以下その具体的な使用方法・実施の形態を説明する。
これを使用するときは、撒き餌挿入・放出装置（１６）に撒き餌を挿入し水中のポイントに達した時、道糸をしゃくる事により、そのしゃくりの強弱の譟り返しにより撒き餌の量を調節しながら釣行する。
（イ）網籠本体（５）に開閉蓋（４）を装着された撒き餌挿入・放出装置（１６）が目的放出ポイントに達した時、開閉蓋（４）に設けた開閉蓋上下可動孔（６）と支持鉄線可動リング（１３）と連動支持された蓋支持ボルト（１）の道糸結束用フック（１２）をしゃくる事により、蓋支持ボルト（１）に装着の蓋開閉調整押しバネ（２）の伸縮力により蓋が上下に開閉され同時に水流も加わり網籠開口部（８）より撒き餌が流出し、その結果効果的撒き餌が可能となり、撒き餌の量、タイミングともに自在に調整可能である。
又、蓋支持ボルト（１）により連動支持されている開閉蓋（４）の蓋開閉調整押しバネ（２）を押しバネ調整ナット（１４）で伸縮力調整するとともに蓋固定ナット（１５）により開閉蓋（４）を固定し安定した撒き餌が可能である。
（ロ）開閉蓋（４）を道糸結束用フック（１２）で引っ張り上げながら直角に倒し、網籠開口部（８）を開放し網籠本体（５）に蓋支持ボルト末端部（７）を押しバネの伸縮力により固定することになり、柄杓のようにセットされた装置を片手に構え、市販の撒き餌用柄杓により網籠開口部（８）に注ぎ込む挿入方法であり簡便かつ俊敏に手も汚す事もなく清潔感を保ちながらの釣行が良好である。
（ハ）網籠本体（５）の本体支持鉄線（３）を本体支持鉄線係着孔（１０）より簡単に分離出来る装置であり、装置の不具合等の発生時に取り外し、調整修理及び取り換えも可能である。
（ヘ）網籠の底部に多用途フック（９）を設ける事により、ナス錘等の使用により蓋開閉調整押しバネ（２）の伸縮強度微調整により開閉蓋（４）のスムースな作動に役立てる。
（ト）課題として装置の耐久性、軽量化と安価を追及した。当然の事であるが塩害による腐食防止を前提にステンレス及びプラスチックを主材料とするのが適当であろう。
【符号の説明】
【０００８】    １    蓋支持ボルト
２    蓋開閉調整押しバネ
３    本体支持鉄線
４    開閉蓋
５    網籠本体
６    開閉蓋上下可動孔
７    蓋支持ボルト末端部
８    網籠開口部
９    多用途フック
１０  本体支持鉄線係着孔
１１  底鍾部
１２  道糸結束用フック
１３  支持鉄線可動リング
１４  押しバネ調整ナット
１５  蓋固定ナット
１６  撒き餌挿入・放出装置
１７  道糸
１８  係着フック部
１９  開閉蓋開放固定ロック手段
【図１】
0003206224.tif 000003
【図２】
0003206224.tif 000004
【図３】
0003206224.tif 000005
【図４】
0003206224.tif 000006
【図５】
0003206224.tif 000007
【図６】
0003206224.tif 000008
【図７】
0003206224.tif 000009
【図８】
0003206224.tif 000010
【図９】
0003206224.tif 000011
【図１０】
0003206224.tif 000012